(57)【要約】【課題】  移動者の現在位置に応じて移動経路を検索できる移動経路検索システムを提供する。【解決手段】  移動経路を検索する移動経路検索サーバ１が、移動者（Ａ）に携行されるユーザ端末３から移動先（三鷹）を含む検索条件３０１をステップＳ１で受信し、交通機関情報１１１をステップＳ３で交通機関情報データベース１１から読み出し、ユーザ端末３の位置を示す位置情報４０１等を位置情報サーバ４からステップＳ４０１等で受信し、検索条件３０１と交通機関情報１１１と位置情報４０１等を基に当該位置情報４０１等により示される位置（赤坂見附等）を移動元とした移動経路を示す移動経路情報１００２等を生成し、該移動経路情報１００２等をユーザ端末３へ送信して当該移動経路を表示させるので、移動者の現在位置に応じた移動経路を知ることができる。【選択図】図２
2005031023.tif 000002
【特許請求の範囲】
【請求項１】
移動経路を検索する移動経路検索サーバが、移動者に携行されるユーザ端末から移動先を含む検索条件を受信し、交通機関を利用して移動経路を検索するための交通機関情報を交通機関情報データベースから読み出し、前記ユーザ端末の位置を示す位置情報を位置情報サーバから受信し、前記検索条件と前記交通機関情報と前記位置情報を基に当該位置情報により示される位置を移動元とした移動経路を示す移動経路情報を生成し、該移動経路情報を前記ユーザ端末へ送信して当該移動経路を表示させることを特徴とする移動経路検索システム。
【請求項２】
前記交通機関の運行状況を示す運行情報を運行情報サーバから受信し、前記移動経路情報の生成及び送信では、前記運行情報を基に移動経路を示す移動経路情報を生成し、該移動経路情報を前記ユーザ端末へ送信して当該移動経路を表示させることを特徴とする請求項１記載の移動経路検索システム。
【請求項３】
電子メールアドレスを記憶し、該電子メールアドレスを宛先とした電子メールにより前記ユーザ端末へ移動経路情報を送信することを特徴とする請求項１または２記載の移動経路検索システム。
【発明の詳細な説明】
【技術分野】
【０００１】
本発明は、移動者の現在位置に応じて移動経路を検索できる移動経路検索システムに関する。
【背景技術】
【０００２】
従来より、インターネットのウェブサイトにより移動経路を検索する検索サービスが提供されている。この検索サービスでは、ユーザがパソコンなどから、例えば、虎ノ門から三鷹へ移動する旨を入力すると、列車の時刻表などにより移動経路として、例えば赤坂見附及び四谷を経由する移動経路が検索されてパソコンに表示される。市販の検索ソフトウェアにおいても同様の移動経路検索を行うことができる。なお、下記の非特許文献１または２に記載されたウェブサイトにより検索サービスが実際に提供され、下記の非特許文献３に記載されたソフトウェアにより実際に検索が実行できる。
【非特許文献１】ジョルダン株式会社、”乗り換え案内”[online]、[平成１５年６月２７日検索]、インターネット＜ＵＲＬ：http://www.jorudan.co.jp/＞
【非特許文献２】株式会社 駅前探険倶楽部、”駅前探険倶楽部”[online]、[平成１５年６月２７日検索]、インターネット＜ＵＲＬ：http://ekimae.toshiba.co.jp/＞
【非特許文献３】株式会社ヴァル研究所、”駅すぱあと／製品情報 ”[online]、[平成１５年６月２７日検索]、インターネット＜ＵＲＬ：http://www.ekiworld.net/products/ekispert/index.html＞
【発明の開示】
【発明が解決しようとする課題】
【０００３】
上述したように、従来にあっては、検索サービスや検索ソフトウェアで移動経路を検索し、ユーザは実際にその移動経路上を移動するのであるが、急な用事により、移動経路から外れた位置に移動することがある。
【０００４】
しかしながら、用事を済ませて、再び移動先に向かおうとしても、移動経路から外れた位置にいるユーザにとっては、移動前に検索した移動経路は既に無用になっている。したがって、当該位置で再び検索を行わなければならない。
【０００５】
そこで本発明は、上記の従来の課題に鑑みてなされたものであり、その目的とするところは、移動者の現在位置に応じて移動経路を検索できる移動経路検索システムを提供することにある。
【課題を解決するための手段】
【０００６】
上記従来の課題を解決するために、請求項１の本発明は、移動経路を検索する移動経路検索サーバが、移動者に携行されるユーザ端末から移動先を含む検索条件を受信し、交通機関を利用して移動経路を検索するための交通機関情報を交通機関情報データベースから読み出し、前記ユーザ端末の位置を示す位置情報を位置情報サーバから受信し、前記検索条件と前記交通機関情報と前記位置情報を基に当該位置情報により示される位置を移動元とした移動経路を示す移動経路情報を生成し、該移動経路情報を前記ユーザ端末へ送信して当該移動経路を表示させることを特徴とする移動経路検索システムをもって解決手段とする。
【０００７】
請求項１の移動経路検索システムによれば、移動経路を検索する移動経路検索サーバが、移動者に携行されるユーザ端末から移動先を含む検索条件を受信し、交通機関を利用して移動経路を検索するための交通機関情報を交通機関情報データベースから読み出し、前記ユーザ端末の位置を示す位置情報を位置情報サーバから受信し、前記検索条件と前記交通機関情報と前記位置情報を基に当該位置情報により示される位置を移動元とした移動経路を示す移動経路情報を生成し、該移動経路情報を前記ユーザ端末へ送信して当該移動経路を表示させるので、移動者の現在位置に応じた移動経路を知ることができる。
【０００８】
また、請求項２の本発明は、前記交通機関の運行状況を示す運行情報を運行情報サーバから受信し、前記移動経路情報の生成及び送信では、前記運行情報を基に移動経路を示す移動経路情報を生成し、該移動経路情報を前記ユーザ端末へ送信して当該移動経路を表示させることを特徴とする請求項１記載の移動経路検索システムをもって解決手段とする。
【０００９】
請求項２の移動経路検索システムによれば、前記交通機関の運行状況を示す運行情報を運行情報サーバから受信し、前記移動経路情報の生成及び送信では、前記運行情報を基に移動経路を示す移動経路情報を生成し、該移動経路情報を前記ユーザ端末へ送信して当該移動経路を表示させるので、移動者の現在位置と交通機関の運行状況に応じた移動経路を知ることができる。
【００１０】
また、請求項３の本発明は、電子メールアドレスを記憶し、該電子メールアドレスを宛先とした電子メールにより前記ユーザ端末へ移動経路情報を送信することを特徴とする請求項１または２記載の移動経路検索システムをもって解決手段とする。
【００１１】
請求項３の移動経路検索システムによれば、電子メールアドレスを記憶し、該電子メールアドレスを宛先とした電子メールにより前記ユーザ端末へ移動経路情報を送信するので、移動者の現在位置に応じた移動経路を電子メールで知ることができる。
【発明の効果】
【００１２】
本発明によれば、移動経路を検索する移動経路検索サーバが、移動者に携行されるユーザ端末から移動先を含む検索条件を受信し、交通機関を利用して移動経路を検索するための交通機関情報を交通機関情報データベースから読み出し、ユーザ端末の位置を示す位置情報を位置情報サーバから受信し、検索条件と交通機関情報と位置情報を基に当該位置情報により示される位置を移動元とした移動経路を示す移動経路情報を生成し、該移動経路情報を前記ユーザ端末へ送信して当該移動経路を表示させるので、移動者の現在位置に応じた移動経路を知ることができる。
【発明を実施するための最良の形態】
【００１３】
以下、本発明の実施の形態を図面を参照して説明する。
【００１４】
図１は、本発明の実施の形態に係る移動経路検索システムの構成を示す図である。図１において、１は、移動経路を示す移動経路情報を生成して提供する移動経路検索サーバ、２は、事故、渋滞、遅延などといった交通機関の運行状況を示す運行情報を提供する運行情報サーバ、３は、ユーザＡに携行及び操作されるユーザ端末、４は、ユーザ端末３の位置を示す位置情報を提供する位置情報サーバである。なお、実際は多数のユーザ端末が利用可能であるが、便宜の点から、ユーザ端末３のみで説明する。位置情報サーバ４は、具体的には、ＧＰＳ（Global Positioning System）衛星やＰＨＳ（Personal Handyphone System）の基地局により構成される。
【００１５】
移動経路検索サーバ１は、交通機関を利用した移動経路を検索するための交通機関情報１１１（図示せず）が記憶された交通機関情報データベース１１と、検索条件等を基に移動経路情報を生成する移動経路情報生成部１２と、検索条件等を受信し該条件により生成された移動経路情報を送信する通信部１３を備える。なお、ここでは、複数の会社にそれぞれ運行される複数の交通機関を単に交通機関と総称する。また、交通機関情報１１１は、経路表、時刻表、料金表などで構成される。また、移動経路検索サーバ１は、ユーザ端末３からの登録処理によりユーザ端末３の電子メールアドレス３１１（図示せず）を記憶している。
【００１６】
運行情報サーバ２、ユーザ端末３及び位置情報サーバ４は、移動経路検索サーバ１との通信が可能となっている。
【００１７】
運行情報サーバ２は、交通機関における事故、渋滞、遅延などの内容、つまり運行状況を示す運行情報を送信する通信部２１を備える。なお、運行情報サーバ２は、各交通機関を運営する会社に保有される複数のサーバを総称したものである。
【００１８】
ユーザ端末３は、ユーザＡに操作される入力部３１と、入力部３１への操作により得られた検索条件を送信し該条件により生成された移動経路情報を受信する通信部３２と、受信された移動経路情報により移動経路を表示する表示部３３とを備える。
【００１９】
位置情報サーバ４は、ユーザ端末３の位置情報を検索する位置情報検索部４１と、検索された位置情報を送信する通信部４２とを備える。
【００２０】
次に、本実施の形態の移動経路検索システムの動作を説明する。
【００２１】
図２は、本実施の形態の移動経路検索システムの動作を示すシーケンス図である。なお、移動元を虎ノ門、移動先を三鷹として説明する。
【００２２】
ユーザ端末３は、入力部３１に対する操作内容に応じて、虎ノ門と三鷹とを含む検索条件３０１を生成し、通信部３２がハイパーテキスト転送プロトコル等を用いて検索条件３０１を移動経路検索サーバ１へ送信する（ステップＳ１）。検索条件３０１には、移動日の条件、到着希望時刻の条件、移動経路の表示順の条件（金額の少ない順、所用時間の少ない順など）などが含まれることがある。
【００２３】
移動経路検索サーバ１の通信部１３は、検索条件３０１を受信して、移動経路情報生成部１２に与える。
【００２４】
移動経路情報生成部１２は、交通機関情報データベース１１から交通機関情報１１１を読み出す（ステップＳ３）。
【００２５】
移動経路情報生成部１２は、さらに運行情報サーバ２に要求し、該要求に応じて通信部２１が送信した運行情報、ここでは、事故、渋滞、遅延等がないことを示す運行情報２０１を受信する（ステップＳ５）。
【００２６】
移動経路情報生成部１２は、検索条件３０１と交通機関情報１１１と運行情報２０１を基に、虎ノ門から赤坂見附及び四谷経由で三鷹へ移動する移動経路を示す移動経路情報１００１を生成し、通信部１３がハイパーテキスト転送プロトコル等を用いてユーザ端末３へ送信する（ステップＳ７）。
【００２７】
ユーザ端末３の通信部３２は、移動経路情報１００１を受信し、移動経路情報１００１により表示部３３が、虎ノ門から赤坂見附及び四谷経由で三鷹へ移動する移動経路を表示する（ステップＳ９）。
【００２８】
さて、ユーザ端末３がユーザＡに携行されて、赤坂見附に移動したときの動作を説明する。
【００２９】
移動経路情報生成部１２は、交通機関情報データベース１１から交通機関情報１１１を読み出す（ステップＳ１３）。
【００３０】
移動経路情報生成部１２は、さらに運行情報サーバ２に要求し、該要求に応じて通信部２１が送信した運行情報、ここでは、四谷で事故があったことを示す運行情報２０２を受信する（ステップＳ１５）。
【００３１】
移動経路情報生成部１２は、さらに位置情報サーバ４に要求し、該要求に応じて位置情報サーバ４の位置情報検索部４１が検索して通信部４２により送信された、ユーザ端末３の位置情報、ここでは赤坂見附の位置を示す位置情報４０１を受信する（ステップＳ１６）。
【００３２】
移動経路情報生成部１２は、検索条件３０１と交通機関情報１１１と運行情報２０２と位置情報４０１を基に、赤坂見附から荻窪経由で三鷹へ移動する移動経路を示す移動経路情報１００２を生成し、通信部１３が電子メールアドレス３１１を宛先とした電子メールにより、移動経路情報１００２をユーザ端末３へ送信する（ステップＳ１７）。
【００３３】
ユーザ端末３の通信部３２は、移動経路情報１００２を受信し、移動経路情報１００２により表示部３３が、赤坂見附から荻窪経由で三鷹へ移動する移動経路を表示する（ステップＳ１９）。
【００３４】
さて、ユーザ端末３がユーザＡに携行されて、三鷹とは方角の違う池袋に移動したときの動作を説明する。
【００３５】
移動経路情報生成部１２は、交通機関情報データベース１１から交通機関情報１１１を読み出す（ステップＳ２３）。
【００３６】
移動経路情報生成部１２は、さらに運行情報サーバ２に要求し、該要求に応じて通信部２１が送信した運行情報、ここでは、四谷で事故があったことを示す運行情報２０３を受信する（ステップＳ２５）。
【００３７】
移動経路情報生成部１２は、さらに位置情報サーバ４に要求し、該要求に応じて位置情報サーバ４の位置情報検索部４１が検索して通信部４２により送信されたユーザ端末３の位置情報、ここでは池袋の位置を示す位置情報４０２を受信する（ステップＳ２６）。
【００３８】
移動経路情報生成部１２は、検索条件３０１と交通機関情報１１１と運行情報２０２と位置情報４０２を基に、池袋から新宿経由で三鷹へ移動する移動経路を示す移動経路情報１００３を生成し、通信部１３が電子メールアドレス３１１を宛先とした電子メールにより、移動経路情報１００３をユーザ端末３へ送信する（ステップＳ２７）。
【００３９】
ユーザ端末３の通信部３２は、移動経路情報１００３を受信し、移動経路情報１００３により表示部３３が、池袋から新宿経由で三鷹へ移動する移動経路を表示する（ステップＳ２９）。
【００４０】
以上説明したように、本実施の形態の移動経路検索システムによれば、移動経路を検索する移動経路検索サーバ１が、移動者（Ａ）に携行されるユーザ端末３から移動先（三鷹）を含む検索条件３０１をステップＳ１で受信し、交通機関を利用して移動経路を検索するための交通機関情報１１１をステップＳ３で交通機関情報データベース１１から読み出し、ユーザ端末３の位置を示す位置情報４０１等を位置情報サーバ４からステップＳ４０１等で受信し、検索条件３０１と交通機関情報１１１と位置情報４０１等を基に当該位置情報４０１等により示される位置（赤坂見附等）を移動元とした移動経路を示す移動経路情報１００２等を生成し、該移動経路情報１００２等をユーザ端末３へ送信して当該移動経路を表示させるので、移動者の現在位置に応じた移動経路を知ることができる。
【００４１】
また、移動経路検索サーバ１が、交通機関の運行状況を示す運行情報２０２等を運行情報サーバ２からステップＳ１５等で受信し、移動経路情報の生成及び送信では、運行情報２０２等を基に移動経路を示す移動経路情報１００２等を生成し、該移動経路情報１００２等をユーザ端末３へ送信して当該移動経路を表示させるので、移動者（Ａ）の現在位置と交通機関の運行状況に応じた移動経路を知ることができる。
【００４２】
また、移動経路検索サーバ１が、電子メールアドレス３１１を記憶し、該電子メールアドレス３１１を宛先とした電子メールによりユーザ端末３へ移動経路情報を送信するので、移動者（Ａ）の現在位置に応じた移動経路を電子メールで知ることができる。
【産業上の利用可能性】
【００４３】
本発明の移動経路検索システムは、移動者の現在位置に応じて移動経路を検索する際に利用可能である。
【図面の簡単な説明】
【００４４】
【図１】本発明の実施の形態に係る移動経路検索システムの構成を示す図である。
【図２】本実施の形態の移動経路検索システムの動作を示すシーケンス図である。
【符号の説明】
【００４５】
１  移動経路検索サーバ
２  運行情報サーバ
３  ユーザ端末
４  位置情報サーバ
１１  交通機関情報データベース
１２  移動経路情報生成部
１３、２１、３２、４２  通信部
３１  入力部
３３  表示部
４１  位置情報検索部
【図１】
2005031023.tif 000003
【図２】
2005031023.tif 000004
【手続補正書】
【提出日】平成15年8月1日(2003.8.1)
【手続補正１】
【補正対象書類名】図面
【補正対象項目名】図１
【補正方法】変更
【補正の内容】
【図１】
2005031023.tif 000005
【手続補正２】
【補正対象書類名】図面
【補正対象項目名】図２
【補正方法】変更
【補正の内容】
【図２】
2005031023.tif 000006